(57)【要約】      （修正有）【課題】実用性と装飾性を兼ね備えたテーブルを提供する。【解決手段】テーブル面１１０、容器１３０とテーブル本体を含み、容器はテーブル面とテーブル本体の間に位置し、水族生物の飼育、野菜・果物の栽培、或いは、コレクション品の陳列のように容器内に観賞を提供する各種物品を置くことができ、テーブル面は透明な平板で、利用者が俯瞰角度で容器１３０内の物品を観賞できるよう提供する。その他、前記テーブル面は可動式設計とし、テーブル面とテーブル本体の連接箇所において油圧支持棒、水圧支持棒、空気圧支持棒、錠止めが可能なオイルガス混合圧力棒、回転棒、スライドレール方法、または、丁番（ｈｉｎｇｅ）によって連接することで、テーブル面を容易に開く、回転、或いは、移動させ、且つ、固定することで利用者が容器１３０内の陳列物を整理させることができる。【選択図】図１
0003142087.tif 000002
【実用新案登録請求の範囲】
【請求項１】
透明エリアを備える可動式テーブル面と、テーブル面と連接する容器と、少なくとも一つの丁番（ｈｉｎｇｅ）によって相互に連接するテーブル面とテーブル本体、及び、前記容器を支えるテーブル本体、または、吊り物を含み、前記容器は生物の飼育環境、物品の設置空間を提供し、前記可動式テーブル面とテーブル本体、容器の連接箇所は少なくとも１本の支持棒、１本の回転棒、１本のスライドレール、或いは、１本の丁番（ｈｉｎｇｅ）で相互に連接することを特徴とする、観賞用テーブル。
【請求項２】
請求項１に記載の観賞用テーブルにおいて、少なくとも１本の丁番（ｈｉｎｇｅ）でテーブル面とテーブル本体を相互に連接させ、且つ、前記支持棒が油圧棒、水圧支持棒、空気圧支持棒、或いは、ほぞ式支持棒により、テーブル面を開いた後も固定させることを特徴とする、観賞用テーブル。
【請求項３】
請求項１に記載の観賞用テーブルにおいて、前記テーブル面が回転棒により時計回り、或いは、逆時計回り方向に向かって移動することを特徴とする、観賞用テーブル。
【請求項４】
請求項１に記載の観賞用テーブルにおいて、前記テーブル面はスライドレールに沿って平行に移動し、且つ前記スライドレール上に固定することを特徴とする、観賞用テーブル。
【請求項５】
請求項１に記載の観賞用テーブルにおいて、前記透明エリアはテーブル面から開くことを特徴とする、観賞用テーブル。
【請求項６】
請求項１に記載の観賞用テーブルにおいて、前記テーブル面は少なくとも２個以上のテーブル面エリアに分けることができて、各テーブル面エリアが開き、移動することを特徴とする、観賞用テーブル。
【請求項７】
請求項１に記載の観賞用テーブルにおいて、前記テーブル本体の下縁部に脚と脚先を収納できることを特徴とする、観賞用テーブル。
【請求項８】
請求項１に記載の観賞用テーブルにおいて、前記テーブル本体には、テーブル脚を更に含むことを特徴とする、観賞用テーブル。
【請求項９】
請求項１に記載の観賞用テーブルにおいて、前記テーブル本体の自体が下方に向かって延伸することで、テーブル脚機能を具備したテーブル脚体を形成することを特徴とする、観賞用テーブル。
【請求項１０】
請求項９に記載の観賞用テーブルにおいて、前記テーブル脚体は透明、或いは、半透明の材質からなることを特徴とする、観賞用テーブル。
【請求項１１】
請求項１０に記載の観賞用テーブルにおいて、容器の映像を他表面にまで投射、または、前記材質を発光させる投射光源を更に含むことを特徴とする、観賞用テーブル。
【請求項１２】
請求項１に記載の観賞用テーブルにおいて、前記容器はサンドイッチ層方法でテーブル本体に連接することを特徴とする、観賞用テーブル。
【請求項１３】
請求項１に記載の観賞用テーブルにおいて、前記容器はスライドレール、または、引き出し方法でテーブル本体に連接することを特徴とする、観賞用テーブル。
【請求項１４】
請求項１に記載の観賞用テーブルにおいて、前記容器底部に排水管を設けることを特徴とする、観賞用テーブル。
【請求項１５】
請求項１に記載の観賞用テーブルにおいて、前記容器とテーブル本体間に浄水器、給水器、或いは、循環濾過設備を更に含むことを特徴とする、観賞用テーブル。
【請求項１６】
請求項１に記載の観賞用テーブルにおいて、前記容器底部に水質浄化用材質をふ設することを特徴とする、観賞用テーブル。
【請求項１７】
請求項１に記載の観賞用テーブルにおいて、前記テーブル面はその上に絵、マーク、または、トーテムのパターンを描いた不透明、或いは、半透明エリアを更に含むことを特徴とする、観賞用テーブル。
【請求項１８】
請求項１に記載の観賞用テーブルにおいて、前記生物の養殖は魚、エビ、水草、野菜果物或いは昆虫であることを特徴とする、観賞用テーブル。
【請求項１９】
請求項１に記載の観賞用テーブルにおいて、テーブル本体内に光源照射システムを設け、植物に光合成作用を行わせ、及び、観賞用照明を提供することを特徴とする、観賞用テーブル。
【請求項２０】
請求項１に記載の観賞用テーブルにおいて、光源照射時間の長さ、或いは、回数を制御できる光源照射制御システムを更に含むことを特徴とする、観賞用テーブル。
【請求項２１】
請求項１に記載の観賞用テーブルにおいて、前記テーブルは居間テーブル、書卓、コンピュータデスク、事務テーブル、食卓、和式座卓、バーテーブル、教室用デスク、会議テーブル、カウンターテーブル、食卓、ドレッサー、鉄板焼テーブル、作業テーブル、エンドテーブル、サイドテーブル、仏壇、コーヒーテーブル、レジャーテーブル或いはゲーム用テーブルであることを特徴とする、観賞用テーブル。
【請求項２２】
請求項１に記載の観賞用テーブルにおいて、いかなる音声、ビデオ或いはライトを具備する装置或いは家電に接続するために用いる電源を更に含むことを特徴とする、観賞用テーブル。
【請求項２３】
請求項１に記載の観賞用テーブルにおいて、容器内の物品が盗難に遭わないように、テーブル面のサンドイッチ層に錠を設置することを特徴とする、観賞用テーブル。
【請求項２４】
請求項１に記載の観賞用テーブルにおいて、テーブル内の生物に餌を与えるため、テーブル面に閉鎖可能型給餌穴を設けることを特徴とする、観賞用テーブル。
【請求項２５】
請求項８に記載の観賞用テーブルにおいて、運搬と空間の節約の利便性のため、テーブル脚は容易な取り外し式であることを特徴とする、観賞用テーブル。
【考案の詳細な説明】
【技術分野】
【０００１】
本考案は、内部に物品を展示できる観賞用テーブルに関り、特に、生態景観の観察に用いる観賞用テーブルに関る。
【背景技術】
【０００２】
テーブルは日常生活にも不可欠の家具であり、従来市販されているテーブルにも、主に材質及び外観上に変化をつけ、現在、生物の飼育及び景観の観賞という新しい観念を結合した家具が登場し、水槽テーブルと呼ばれている。
【０００３】
水槽テーブルは、一般的なテーブル機能を備える以外に、観賞魚用水槽或いはその他のタイプの容器に類似する構造を具備し、またこの容器は通常透明な外壁を備え、利用者は魚の飼育、盆栽の設置等といった景観をこの容器内に飾り付けることができ、また個人の好みでその他の造景も陳列できる。水槽テーブルはまた有効的に空間を利用するため、観賞魚用水槽の陳列を別途省くことができ、テーブル内のサンドイッチ層を物品収納として使用することができるため、家庭、オフィス、喫茶店、レストラン或いはホテル等を問わず応用できる幅が非常に広く、且つ水槽テーブル内で魚を飼育できる以外に、富に恵まれる象徴とすることができる。これにより、各種革新的な概念を備えた水槽テーブルは、いずれも非常に大きなビジネスチャンスを持っている。
【０００４】
現在市販されている水槽テーブルは非常に多くの種類があるが、大部分は魚の飼育が主で、これにより例えば噴水管、中空管、水槽、水中ポンプ及びフィルター等といった付属品を追加されるため、その容器深度が通常でも床まで伸びてしまい、テーブル本体が明らかに重くなってしまう。その他、利用者がテーブルの側に座った時も、脚をテーブル面の下までに伸ばすことができないため、利用者が不快と感じてしまう。且つ、非常に重いテーブル面を開いて観賞魚用水槽を清掃する場合、非常に困難であるため、水槽テーブルの機能が容易に制限されてしまう。更に、市販されている多くの水槽テーブルの容器開口部が小さいため、清掃し難く、且つ比較的大型の物品を入れ難くなっている。
【０００５】
その他、現代人が大自然に親しむため、均しく家庭内に池があることを願っているが、、現実の生活環境スペースは限られ、家庭内に池を持つという夢を叶えることが難しいことである。
【０００６】
これに鑑み、本考案の考案者はこの製品を設計して、現有技術の不足を克服すると共に現代人の家庭内に池を持つという夢を叶えることができる。
【考案の開示】
【考案が解決しようとする課題】
【０００７】
本考案の主な目的は、観賞用テーブルを提供することにあり、その特徴が透明エリアを備える可動式テーブル面と、テーブル面と連接する容器、及び前記容器を支持するテーブル本体または吊り物を含んで、前記容器は生物の飼育環境或いは物品の設置空間を提供することにある。
【課題を解決するための手段】
【０００８】
本考案の一つの実施例において、前記可動式テーブル面とテーブル本体の連接箇所は、少なくとも１本の支持棒、１本の回転棒、1本のスライドレール或いはの１本の丁番（ｈｉｎｇｅ）を通じて相互に連接する。テーブル面の全体が開かないように、本考案の別の実施例において、テーブル面内と比較して小さなエリア（例えば透明エリア）をテーブル面から開くことができ、若しくは前記テーブル面を２個以上のテーブル面エリアに分けることで、各テーブル面のエリアは開いたり移動したりすることができる。
【０００９】
この文章内で用いる観賞用テーブルは、人々の生活内に使用する各種テーブルに適し、これには居間テーブル、書卓、コンピュータデスク、事務テーブル、食卓、和式座卓、バーテーブル、教室用デスク、会議テーブル、カウンターテーブル、食卓、ドレッサー、鉄板焼テーブル、作業テーブル、エンドテーブル、サイドテーブル、仏壇、コーヒーテーブル、レジャーテーブル或いはゲーム用テーブル等を含む。
【００１０】
本考案の一つの実施例において、少なくとも１本の丁番（ｈｉｎｇｅ）でテーブル面とテーブル本体を相互に連接させ、且つ前記支持棒が油圧棒、水圧支持棒、空気圧支持棒或いはほぞ式支持棒により、テーブル面を開いた後も固定させることができる。他の実施方法において、前記テーブル面が回転棒により時計回り或いは逆時計回り方向に向かって移動し、テーブル面が回転した後でも固定させることができる。若しくは別の実施方法において、前記テーブル面はスライドレールに沿って平行に移動し、且つ前記スライドレール上に固定する。前記支持棒或いはスライドレールは１本以上とすることができ、こうすることでテーブル面の固定を更に堅牢にさせることができる、或いは更にテーブル面の固定に便利になる。
【００１１】
この文章内で用いるテーブル本体は、テーブル本体の下縁部に脚部或いは脚先を収容できる。
【００１２】
本考案の一つの実施例において、テーブル本体には、テーブル脚を更に含み、一種の折畳可能式テーブル脚とすることで、運搬及びスペースの節減に便利となる。
【００１３】
本考案の更なる別の実施例において、前記テーブル本体の自体が下方に向かって延伸することで、テーブル脚機能を具備したテーブル脚体を形成する。テーブルが安定して立つよう維持するため、前記テーブル脚体は少なくとも３つの支持点を有する。
【００１４】
本考案の更なる別の実施例において、光源（例えば発光ダイオード）から透明或いは半透明材質に投射して、発光体を形成するため、前記テーブル脚体は透明或いは半透明の材質からなる。慌しい現在社会において、ライトの変化によって雰囲気を変えることで、人々の張り詰めた気持ちを、和ませる事ができるため、本考案の更なる別の実施例において、前記観賞用テーブルには、容器の映像を他表面に投射または前記材質を発光させる投射光源を更に含む。
【００１５】
本考案の更なる別の実施方法において、前記容器はサンドイッチ層方法、スライドレールまたは引き出し方法でテーブル本体に連接する。前記サンドイッチ層の周囲に光源照射システムも設置することで、観賞用テーブルへ植物の光合成作用と観賞用照明を提供できる。前記テーブル本体内に電源コンセントを設ける。容器内の景観を観賞するため、更に一歩進んで、前記容器の外壁が透明な材質からなる。本考案を更に完璧にさせるため、容器内の水位を制御できるよう、その底部に排水管も設ける。
【００１６】
その他にも、本考案の容器は広く浅い形態を呈することで、前記容器底部に水質浄化用材質をふ設できる。水位が浅くなり且つ表面積を増加することで、容器内の換気及び天然の濾過効果が極めて良好となり、しかも停電した時、容器内の溶存酸素の回復効果を継続して良好な状態に維持でき、生物も引き続き容器内で楽しく生活できる。その他にも、大型の魚に比較的多い空間を持たせ、または造景ニーズに満たすため、容器の中央を錐状に呈することができ、或いは容器中央から底部に向かっていかなる形状の空間も延伸できる。
【００１７】
本考案の他の実施例において、容器とテーブル本体間に生命維持システムを更に含む。好しくは、前記生命維持システムは浄水器、給水器或いは循環濾過設備とする。本考案を更に美しくするため、前記テーブル面が不透明エリア或いは半透明エリアを更に含む。好しくは、前記不透明或いは半透明エリアは上に絵、マーク或いはトーテムのパターンを描くことができる。
【００１８】
その他、本考案のテーブル本体は、いかなる形状を呈することができ、好しくは、長方形、四方形、菱形、楕円形或いは丸形を呈する。
【００１９】
本考案は、可動式テーブル面の設計を用いているため、テーブル面とテーブル本体を分離させ、またテーブル面とテーブル本体の連接箇所で丁番、油圧支持或いはスライドレール方法によって連接し、テーブル面を容易に開く或いは移動させることができ、テーブル面下のサンドイッチ層空間を完全に暴露させることで、各年齢層の利用者も容器内の清掃作業を行いやすく、また物品の配置及び取出しにも便利になる。
【００２０】
その他、本考案はサンドイッチ層の高度を短縮しているため、利用者がテーブルの側に座った時でも、脚をテーブル面下方の位置に置くことができることで、利用者が更に快適になる。且つ本考案は多機能の観賞用テーブルを提供し、テーブル面下方のサンドイッチ層の周囲空間にいかなる色の照明光源を設置することができ、サンドイッチ層の空間に異なる色の光を具備させることで、更に美観性を向上できる。この他にも、本考案の更なる別の実施例において、光源照射制御システムを更に含むことで、光源照射時間の長さ或いは回数を制御できる。また、本考案の更なる別の実施例において、植物に光合成作用を行わせるため、テーブル本体内に光源照射システムを設けると共に観賞用の照明機能を備える。
【００２１】
本考案の容器は、動物また昆虫（例えばカブトムシ、蛍等）を飼育できる以外に、水生植物や陸生植物や野菜の栽培、コレクション品の陳列、或いはミニチュアの山水風景を飾り付けることができるため、生活に楽しみが加わる。本考案の更なる別の実施例において、前記生物の養殖は魚、エビ、水草、野菜果物或いは昆虫とする。
【００２２】
容器内の物品が盗難に遭わないように、本考案のサンドイッチ層に施錠することができる。
【００２３】
テーブル内の生物に餌を与えるため、本考案のテーブル面に閉鎖可能型給餌穴を設けることができる。
【００２４】
本考案で提供する多機能テーブルは、物体を観賞する俯瞰性、つまり上から下への観賞の特性を強調するため、市販されている水槽テーブルとは異なる。
【００２５】
本考案で提供する多機能テーブルは、いかなる音声、ビデオ或いはライトを具備する装置或いは家電に接続するために用いる電源を更に含む。
【００２６】
以下の実施例により更に一歩進んで本考案を説明する。これら実施例は本考案を説明し、並びに本考案の特定実施例の各種長所を解明するだけであって、本考案が当該方法にのみに限定されることがない。
【００２７】
図１は、本考案の構造図である。主体は４脚の長テーブルで、テーブル面１１０、テーブル本体及びテーブル脚１４１を含む。テーブル本体には、外壁１４０、サンドイッチ層１３０及び容器底部に設置する調整可能型排水管１３２を含み、前記サンドイッチ層１３０は透明容器である。テーブル面１１０の中心は透明なガラス或いはアクリルからなり、並びに閉鎖可能型給餌穴１１１を有する。もしも利用者がこの観賞用テーブルで魚、両生類、昆虫、爬虫或いはその他の動物を飼育する場合、この穴から餌を与えることができる。利用者がテーブル面を開くため、テーブル面とテーブル本体間は丁番１３３、油圧支持棒１２０及び油圧支持棒の連接板１１３を通じて連接する。サンドイッチ層内の空間で魚、昆虫、爬虫類或いはその他動物を飼育して観賞することができ、また植物或いは小型水耕作物も栽培できる。利用者が宴席で客を接待する時、趣向を凝らすため直接テーブル面を開いて野菜を収穫して食して楽しむこともできる。
【００２８】
本考案の支持棒１２０は、油圧方法或いはほぞ方法で呈現でき、油圧式支持棒は利用者が容易にテーブル面を開くと共に固定させることができる。ほぞ式支持棒はテーブル面を開いた時自動的に特定のほぞ位置に滑り込んで固定され、これにより利用者はテーブル面を特定の角度に固定してサンドイッチ層容器内で物品を陳列するという利便性を与える。その他、本考案の支持棒にスライドレール（図６）を代用することで、テーブル面を上開きではなく、スライド式携帯電話と同じように平行に移動させることができる。このように利用者が容器空間を整理する時でも、先にテーブル上に置いた物品を取り去る必要がない。
【００２９】
利用者が各種用途の応用をさせるため、テーブル本体内部に仕切り空間１３１及び隠蔽型電源コンセントも設計し、テーブル本体に外付けていた電器、例えば光源、水族飼育器材等の設備電線を設けることで更に引き出して他の電源コンセントを差し込む必要なく、テーブル全体の美観を損なうことを避けることができる。
【００３０】
テーブル本体の内部にいかなる色の蛍光管を設置することで、容器内に異なる色の光を具備させることができる。容器１３０下方に交さ筋かい２２５を設けることで、上方容器の重量を支えることができる。
【００３１】
その他、運搬と収納の利便性のため、テーブル脚１４１は容易な取り外し式の設計を用い、また全体重量を軽減できるが構造の堅硬度を失わないように、テーブル本体の外壁１４０を常用材料（アルミ合金または木材）で造ることができ、その他の材料で造ることもできる。テーブル本体を更に安定させるため、テーブル脚の下方に脚ベース部1４２を追加することで高度を調整することが可能となる。
【００３２】
図２は、本考案内の容器１３０及び排水管１３２等の部品見取図である。前記容器１３０は容器外壁２２０と容器底部２２３で構成する。排水管１３２の付近で仕切り板２２１と押さえ板２２２で構成されるサンドイッチ層空間を設置でき、前記仕切り空間に濾過装置を設置し、且つサンドイッチ層底部に排水管１３２を設けることができる。前記排水管は摺動方法で水位の高度を調整し、排水管と容器底部のインターフェース箇所にゴム輪２１０で接合することで、液体の漏出を避ける。利用者が本考案を利用して生物を飼育する時、容器内に設けているサンドイッチ層空間に、例えば浄水器、給水器或いは循環濾過設備等といった必要な生命維持システムを設置することで、動植物を容器１３０内で生長させることができる。
【００３３】
本考案のサンドイッチ層１３０はコレクション品を展示することにも用いることができる。その他にもボタンによる点灯の指示装置を追加設置することができ、つまりテーブル本体の外壁１４０上にボタンを追加設置し、押圧した後、サンドイッチ層の特定エリアに取り付けられたランプが点灯して認識できる。
【００３４】
テーブル本体の美観性を更に向上させ、及び油圧棒と露出を遮蔽するため、透明なエリア１１２を除き、テーブル面に不透明或いは半透明エリア１１４を提供する、前記エリアは顧客のニーズに応じて各種の色をデザインでき、これには銀色、金色、木目色、七色或いは虹色を含む。同時に前記エリアは顧客のニーズに応じて絵、マーク或いはトーテムなどのパターン限定されることなく描くことで、テーブル本体を周囲の環境に合わせて全体の景観創造について心や目を更に楽しませることができる。
【００３５】
本考案の他の実施例において、テーブル本体は正方形、菱形、楕円形或いは丸形を呈することができる。
【００３６】
本考案では具体的な実施例を前述の通り開示したが、これらは決して本考案の応用を限定するものではなく、任意の本考案の使用方法は本考案の精神と領域を逸脱しない範囲内で多くの改変を施し得るのはもちろんである。従って本考案明の保護範囲は、実用新案請求の範囲で指定した内容を基準とする。
【図面の簡単な説明】
【００３７】
【図１】本考案の観賞用テーブルの構造図である。
【図２】本考案の観賞用テーブル内の容器及び排水管の構造見取図である。
【図３】本考案の観賞用テーブルの使用状態図である。
【図４（ａ）−（ｄ）】本考案の観賞用テーブルの（ａ）閉蓋図、（ｂ）構造分解図、（ｃ）展開図及び（ｄ）側面の開蓋図である。
【図５】本考案のバーテーブルの（ａ）見取図及び（ｂ）構造分解図である。
【図６】本考案の観賞用テーブルにスライドレール方法を用いた見取図である。
【符号の説明】
【００３８】
１１０    テーブル面
１１１    給餌穴
１１２    テーブル面の透明エリア
１１３    油圧支持棒の連接板
１１４    テーブル面の不透明或いは半透明エリア
１２０    油圧支持棒
１３０    容器
１３１    仕切り空間
１３２    調整可能型排水管
１３３    丁番
１４０    テーブル本体の外壁
１４１    取り外し可能式テーブル脚
１４２    脚ベース部
２１０    ゴム輪
２２０    容器外壁
２２１    仕切り版
２２２    押さえ板
２２３    容器底部
２２４    テーブル脚体
２２５    交さ筋かい
【図１】
0003142087.tif 000003
【図２】
0003142087.tif 000004
【図３】
0003142087.tif 000005
【図４】
0003142087.tif 000006
【図５】
0003142087.tif 000007
【図６】
0003142087.tif 000008